(57)【特許請求の範囲】
【請求項１】
バーナの燃焼熱により通水を加熱する熱交換器と、
前記熱交換器に給水する給水路と、
前記熱交換器で加熱された湯を送り出す出湯路と、
出湯の開始・停止操作により前記給水路を開閉する水栓と、
前記出湯路に接続されるフレキシブル出湯管と、
該フレキシブル出湯管の先端に取り付けられて、切替手段によりシャワー湯出口側とストレート湯出口側のいずれか一方に切り替えられるキッチンシャワーと
を備えた元止め式湯沸器において、
前記キッチンシャワーにバイパス湯出口を設けると共に、該キッチンシャワー内の該バイパス出湯口に至る経路を、該キッチンシャワー内の空間部分が通常圧力のときは閉鎖し、該空間部分が高圧になったときに開放する逃がし弁を備え、
前記逃がし弁を、筒状の本体と、該本体の一端側に設けたシール部と、該本体の外周に巻装したコイルバネとにより構成し、前記バイパス湯出口に至る経路を前記キッチンシャワー内の空間部分から隔離した隔壁に前記逃がし弁を介装し、前記空間部分側に前記コイルバネを配設すると共に前記経路側に前記シール部を配設することとし、
該逃がし弁は、前記空間部分側に配設した前記コイルバネにより前記本体を該空間部分側に付勢することにより、前記経路側に配設したシール部により該経路を閉鎖するようにし、
前記コイルバネの前記隔壁側端部に、前記キッチンシャワーの出湯方向に延出する延出部と、該延出部の先端側で折り返して前記本体近傍位置まで戻された折返し部とからなる水切り部を設けたことを特徴とする元止め式湯沸器。
【請求項２】
バーナの燃焼熱により通水を加熱する熱交換器と、
前記熱交換器に給水する給水路と、
前記熱交換器で加熱された湯を送り出す出湯路と、
出湯の開始・停止操作により前記給水路を開閉する水栓と、
前記出湯路に接続されるフレキシブル出湯管と、
該フレキシブル出湯管の先端に取り付けられて、切替手段によりシャワー湯出口側とストレート湯出口側のいずれか一方に切り替えられるキッチンシャワーと
を備えた元止め式湯沸器において、
複数の前記シャワー湯出口の少なくとも１つについてその外表面側開口部分に、外方に向けた広がった傾斜角が９０°以上の傾斜部を設けたことを特徴とする元止め式湯沸器。
【請求項３】
前記傾斜部を、前記切替手段により前記シャワー湯出口側に切り替えられた状態で湯がストレートに流入する位置の前記シャワー湯出口に設けたことを特徴とする前記請求項２に記載の元止め式湯沸器。
【発明の詳細な説明】
【０００１】
【発明の属する技術分野】
本発明は、元止め式湯沸器に関する。
【０００２】
【従来の技術】
冬期、寒冷地などでは、凍結による元止め式湯沸器の破損を防止するために、就寝前などに水抜栓を開いて器体内の水抜き操作が行なわれる。しかし、水抜き操作を忘れたり、水抜き操作を怠って外出中あるいは就寝中に予想しない低温にみまわれたりすると、凍結破損してしまう場合がある。そのため、就寝前に凍結を予測して水抜き操作を行なう必要があり、不意の寒波には、水抜き操作を予め出来ないという問題があった。そこで、所定温度によって０Ｎ／ＯＦＦするバイメタルＳＷと、通電して発熱する複数の電熱ヒータとを通水路の外面に密着させ、通水路を所定温度に保温して凍結破損を防止することが行なわれている。
【０００３】
【発明が解決しようとする課題】
しかし、元止め式湯沸器では、電熱ヒータを設けても図１に示すように可動自在に出湯方向を変えるフレキシブル出湯管５と、その端部で出湯形状をストレートとシャワーとに切り替えるキッチンシャワー４０とが凍結し易く、これらが凍結してしまうと凍結破損しないまでも解凍するまで湯沸器をすぐに使用できない問題があった。
【０００４】
これに対して、フレキシブル出湯管５とキッチンシャワー４０にも電熱ヒータを設けて凍結しないように保温することもできるが、フレキシブル出湯管５が自在に曲げられ、使用中に水をかぶったりキッチンシャワー４０を水没させてしまうこともあるため、防水や漏電対策を確実に行なう必要があって湯沸器が高価なものとなってしまう問題があった。
【０００５】
さらに、元止め式湯沸器について水抜き操作を行ったとしても、キッチンシャワーの切替がシャワー湯出口側に切り替えられており、かつキッチンシャワーを振ってこの部分の水を除く操作が行われていないと、シャワー湯出口が凍結して、これにより給湯開始時に、シャワー湯出口から即給湯することができないという問題がある。
そこで、本発明は、上記課題を解決しようとするもので、キッチンシャワーの水抜き操作をしないでも、凍結時においてキッチンシャワーから即給湯できる元止め式湯沸器を提供することを目的とする。
【０００６】
【課題を解決するための手段】
上記目的を達成するために上記請求項１に係る発明の構成上の特徴は、バーナの燃焼熱により通水を加熱する熱交換器と、熱交換器に給水する給水路と、熱交換器で加熱された湯を送り出す出湯路と、出湯の開始・停止操作により給水路を開閉する水栓と、出湯路に接続されるフレキシブル出湯管と、フレキシブル出湯管の先端に取り付けられて、切替手段によりシャワー湯出口側とストレート湯出口側のいずれか一方に切り替えられるキッチンシャワーとを備えた元止め式湯沸器において、キッチンシャワーにバイパス湯出口を設けると共に、キッチンシャワー内のバイパス出湯口に至る経路を、キッチンシャワー内の空間部分が通常圧力のときは閉鎖し、空間部分が高圧になったときに開放する逃がし弁を備え、逃がし弁を筒状の本体と、本体の一端側に設けたシール部と、本体の外周に巻装したコイルバネとにより構成し、バイパス湯出口に至る経路をキッチンシャワー内の空間部分から隔離した隔壁に逃がし弁を介装し、空間部分側にコイルバネを配設すると共に経路側にシール部を配設することとし、逃がし弁は、空間部分側に配設したコイルバネにより本体を空間部分側に付勢することにより、経路側に配設したシール部により経路を閉鎖するようにし、コイルバネの隔壁側端部に、キッチンシャワーの出湯方向に延出する延出部と、延出部の先端側で折り返して本体近傍位置まで戻された折返し部とからなる水切り部を設けたことにある。
【０００７】
上記のように請求項１に係る発明を構成したことにより、切替手段によってシャワー湯出口側に切り替えられている場合において、シャワー湯出口が凍結により詰まっていない通常時には、給水路から熱交換器に給水されると、出湯路の通水が可能であり、出湯路は熱交換器で加熱された湯をフレキシブル出湯管に導いて出湯する。出湯路から湯が供給されると、キッチンシャワーの空間部分の圧力は通常圧力であるため逃がし弁は閉鎖されており、従って、出湯路からの湯はシャワー湯出口からスムーズに供給される。一方、キッチンシャワーの水抜きを忘れてシャワー湯出口が凍結したような場合、出湯路側から湯が供給されると、シャワー湯出口で湯が止められてキッチンシャワーから出湯されなくなる。これにより、キッチンシャワー内の空間部分の圧力が上昇するが、この圧力上昇により、閉鎖状態にある逃がし弁が開放される。そのため、出湯路からの湯は経路を通ってパイパス湯出口から出湯される。そして、このキッチンシャワー内を通過する温湯によって徐々にシャワー湯出口の凍結状態が解除され、シャワー湯出口から出湯されるようになる。これにより、キッチンシャワー内の空間部分の圧力が低下して通常圧力になると、逃がし弁に加わる押圧力も低下することにより元の位置に戻るため逃がし弁により経路が閉鎖される。
【０００８】
また、キッチンシャワー内の空間部分が通常圧力のときは、隔壁の空間部分側に配設された逃がし弁のコイルバネの付勢力により本体が空間部分側に付勢されているため、隔壁の経路側に配設したシール部により経路側が閉鎖される。一方、シャワー湯出口が凍結により詰まった状態で出湯路から湯が供給されて、キッチンシャワー内の空間部分に湯が溜まって内部が高圧状態になったときは、逃がし弁の本体がコイルバネの付勢力に対抗する押圧力によって押されるため、隔壁の経路側に配設したシール部も押されることにより経路側が開放される。従って、湯は経路に流れ込みバイパス出湯口から即給湯される。
【０００９】
さらに、キッチンシャワー内の空間部分の水抜きをしたとき、逃がし弁の本体を介装した隔壁とコイルバネとの狭い隙間部分に残りの湯が溜まり易いが、隔壁側端部に水切り部を設けたことにより、隔壁とコイルバネとの狭い隙間部分に溜まった残り湯は、表面張力により水切り部を伝ってこの部分に溜まり、その後、自重により落下する。そのため、隔壁とコイルバネとの狭い隙間部分に溜まった湯を効果的に排除でき、この部分での水の凍結を防止できる。
【００１０】
また、上記請求項２に係る発明の構成上の特徴は、バーナの燃焼熱により通水を加熱する熱交換器と、熱交換器に給水する給水路と、熱交換器で加熱された湯を送り出す出湯路と、出湯の開始・停止操作により給水路を開閉する水栓と、出湯路に接続されるフレキシブル出湯管と、フレキシブル出湯管の先端に取り付けられて、切替手段によりシャワー湯出口側とストレート湯出口側のいずれか一方に切り替えられるキッチンシャワーとを備えた元止め式湯沸器において、複数のシャワー湯出口の少なくとも１つについてその外表面側開口部分に、外方に向けた広がった傾斜角が９０°以上の傾斜部を設けたことにある。
【００１１】
上記のように請求項２に係る発明を構成したことにより、水抜きを忘れた場合においても、シャワー湯出口側に溜まった残り湯については、複数のシャワー湯出口の少なくとも１つについてその外表面側開口部分に設けた外方に向けて広がった傾斜角が９０°以上の傾斜部において、その表面張力により引張られて広い部分に湯が集められて溜まる。そのため、溜められた多量の湯の自重により湯が落下し、それに伴いシャワー湯出口の湯も引張られて落下する。その結果、傾斜部を設けたシャワー湯出口には水が溜まらず、従ってその部分で凍結が生じることもない。
【００１２】
また、上記請求項３に係る発明の構成上の特徴は、請求項２に記載の元止め式湯沸器において、傾斜部を、切替手段によりシャワー湯出口側に切り替えられた状態で湯がストレートに流入する位置のシャワー湯出口に設けたことにある。
【００１３】
上記のように請求項３に係る発明を構成したことにより、傾斜部が、切替手段によりシャワー湯出口側に切り替えられた状態で湯がストレートに流入する位置のシャワー湯出口に設けられているため、湯がスムーズにシャワー湯出口に流れ込み易く、そのため通常のシャワー出湯時の流線の乱れを少なくでき、シャワー湯出口での残り湯の排出を確実に行うことができる。
【００１４】
【発明の実施の形態】
つぎに、本発明の一実施形態を図面により説明すると、図１は、参考例に係る元止め式湯沸器を正面図により示したものであり、図２は元止め式湯沸器の概略構成を構成図により示したものである。
この元止め式湯沸器は、図２に示すように、水入り口からの給水経路３には、流路を開閉する水栓２４が設けられ、その下流には水圧応動装置１０が設けられる。水圧応動装置１０には、前後に移動可能なダイアフラム１２が設けられ、このダイアフラム１２で仕切って一次室１６と二次室２１とが形成される。また、水圧応動装置１０の一次室１６への入路には、ダイアフラム１２と同軸上に、給水圧の変動が生じても流量を一定に保つ水ガバナ１４が設けられる。
【００１５】
また、一次室１６から続く流路には、湯温調節部１１が設けられ、湯温調節部１１で流路は、ベンチュリー２を経由し熱交換器１へ通じたミキシング部２８に至る加熱経路７ａと、ミキシング部２８へ直接通じるバイパス通路７ｂとに分岐され、ミキシング部２８下流には、後述する自動排水ユニット１５が設けられる。自動排水ユニット１５の下流には、湯出口の位置を可動自在に曲げて移動できるフレキシブル出湯管５が設けられ、さらにフレキシブル出湯管５の端部には、出湯形状をストレートとシャワーとに切り替えるキッチンシャワー４０が設けられる。
【００１６】
自動排水ユニット１５は、出湯路７下流側に設けられ、後述するゲート弁９が接離して流路を開閉するシート部２９と、その下流流路を大気側に開口する開放孔３０とを同軸上に備え、このシート部２９及び孔３０の中心を挿通し、両端が本体に可動自在に保持されるスピンドル１７と、スピンドル１７の一端に固定されシート部２９に下流側から離接して流路を開閉するゲート弁９と、スピンドル１７の他端に固定され、開放孔３０の周囲に接離して流路を大気に開閉する大気開放弁８と、ゲート弁９を下流側から閉弁方向に付勢するバネ１３と、大気開放弁８の出口に閉弁タイミングで洩れた水を溜める凹部３８とを備える。なお、自動排水ユニットについては、詳述しないが種々の構造のものを適用することが可能である。
【００１７】
また、加熱経路７ａに設けられるベンチュリー２は、流路を絞ると共に、流路と直角方向に横孔２ａが設けられる。そして、この横孔２ａから水圧応動装置１０の二次室２１に通じる導通路２ｂが設けられる。また、ダイアフラム１２には、変位を伝える押軸２２及び突棒３７が同一軸線上に当接して設けられ、この突棒３７の他端に給水自動ガス弁２３が設けられる。
【００１８】
給水自動ガス弁２３より上流のバーナ２７へのガス供給経路４には、ガス通路を開閉する器具栓２６及びメイン弁２５が設けられる。また、給水自動ガス弁２３の下流に、燃料ガスを燃焼するバーナ２７が設けられ、バーナ２７に放電することにより燃料ガスへ着火する電極（図示省略する）が設けられる。さらに、このガス供給経路４上流には、ガス配管(図示省略する)が接続され、このガス配管途中には、手動で流路を開閉するガス元栓３５が設けられる。
【００１９】
ダイアフラム１２の一次室１６と二次室２１の下部には、手動で元止め式湯沸器内の水抜きができる水抜栓１９が設けられ、水抜栓１９は器体外へ排水を導く水抜路１８に通じている。給水経路３上流には、給水配管が接続され、この給水配管途中には、元止め式湯沸器への給水路を開閉する給水元栓３１と、その下流の水を抜く排水栓３２とが設けられる。
【００２０】
また、室温を検出し、所定温度まで低下した場合にＯＮし、所定温度まで上昇した場合にＯＦＦするバイメタルＳＷ３３が器体内に設けられ、給水経路３、出湯路７、水圧応動装置１０等を含めた通水路における複数の箇所に、バイメタルＳＷ３３が０Ｎすることにより１００Ｖの電力が供給されて発熱する電熱ヒータ３４が設けられる。従って、通水路は、この電熱ヒータ３４により所定温度に保持され、凍結が防止される。
【００２１】
キッチンシャワー４０は、図３，図４に示すように、筒状の中空のケース４１を有しており、ケース４１の一端側４１ａにはフレキシブル出湯管５に連結される筒状の連結部４２を設けており、またケース４１の他端側は平坦な湯出口壁４３になっており、内部が空間部４４になっている。湯出口壁４３は、中心に大径の貫通孔４５ａを設けており、さらにこの貫通孔４５ａを同心円状及び放射状に配置された多数の仕切り板により仕切られてストレート湯出口４５として形成されている。また、ストレート湯出口４５の周囲には半径の異なる２つの同心円上に所定間隔で配列された多数の貫通小孔の集まりであるシャワー湯出口４６が形成されている。
【００２２】
空間部４４には、湯出口壁４３上に垂直に延びた円筒形の垂直仕切壁４７が立設されており、垂直仕切壁４７の一端側（図示上端）には、湯出口壁４３に平行な水平仕切壁４８が設けられている。水平仕切壁４８は、空間部４４を湯出口壁４３側と連結部４２側とに仕切っている。これにより湯出口壁４３と水平仕切壁４８の間の空間は、垂直仕切壁４７に囲まれた中央側のストレート湯出口空間４７ａと、その周囲のシャワー湯出口空間４７ｂに分けられている。また、水平仕切壁４８のストレート湯出口空間４７ａに対応する部分にはストレート部開口４８ａが設けられており、またシャワー湯出口空間４７ｂに対応する個所にはシャワー部開口４８ｂが設けられている。さらに、水平仕切壁４８のストレート部開口４８ａ及びシャワー部開口４８ｂの間には切替板４９が揺動可能に取り付けられており、一方側への傾動によりストレート部開口４８ａを閉鎖し、他方側への傾動によりシャワー部開口４８ｂを閉鎖するようになっている。ケース４１外側壁には切替レバー５１が設けられており、ケース４１内に延びて切替板４９の両側への傾動を行わせる切替部材５２に連結されている。
【００２３】
ケース４１の両突出部４１ｂでは、空間部４４は、隔壁５３によって仕切られている。隔壁５３は湯出口壁４３側から軸方向に連結部４２近傍まで延びた垂直壁部５３ａと、垂直壁部５３ａで水平に曲げられて連結部４２に近接する位置まで延びた水平壁部５３ｂと、水平壁部５３ｂから上方に延びてケース４１内壁に連結された上垂直壁部５３ｃとにより構成されている。この隔壁５３の外面とケース４１に挟まれた部分は、軸方向に延びた細長いバイパス経路５４として形成され、隔壁５３によって空間部４４から隔離されている。バイパス経路５４に通じる湯出口壁４３には一対のバイパス湯出口５５が貫通形成されている。そして、隔壁５３の上垂直壁部５３ｃには、壁面の開口５３ｄを貫通して逃がし弁６０が配設されている。
【００２４】
逃がし弁６０は、図５に示すように、プラスチック製の円棒状であって、軸方向に延びた十字部６２と、十字部６２よりわずかに小径の中央部６４とを有する本体６１と、中央部６４先端に装着されるＯリング６７と、本体６１外周に巻装されるコイルバネ６８とにより構成される。十字部６２は、一端側から軸方向に軸方向厚みの薄い大径部６３と、それに続く大径部６３よりわずかに径の小さい中央部６４とになっている。円柱部６５は、中央部６４よりわずかに径が小さく、一端側が中央部６４とわずかに重なり合っており、他端側近傍位置に同軸状に断面円弧形の装着溝６６を設けている。装着溝６６には、シール部であるＯリング６７が装着される。また、中央部６４と円柱部６５の外周側には、コイルバネ６８が巻装されており、十字部６２の大径部６３の軸方向中央側端部６３ａが、コイルバネ６８を止めるストッパとして機能している。
【００２５】
逃がし弁６０は、図３に示すように、本体６１がケース４１の一端面４１ａに接近し、かつ上垂直壁部５３ｃの開口５３ｄを貫通して、円柱部６５側がバイパス経路５４側に突出した状態で配置されている。本体６１に巻装されたコイルバネ６８が十字部６２を壁面から離れるように付勢しており、この付勢力により円柱部６５に装着されたＯリング６７が上垂直壁部５３ｃに当接して、バイパス経路５４を閉鎖している。
【００２６】
つぎに、上記参考例の元止め式湯沸器の動作について説明する。
ガス元栓３５と給水元栓３１とを開いた後、点火操作が行われると、器具栓２６及びメイン弁２５と共に水栓２４が開かれる。そして、水が水圧応動装置１０を経てベンチュリー２を通過すると、ベンチュリー効果による横孔２ａの水圧低下に応じて二次室２１の圧力が低下する。続いて一次室１６と二次室２１間に差圧が生じると、前後に変位自在なダイアフラム１２に移動力を(図の左方向へ)発生させ、移動力が押棒２２及び突棒３７に伝達されて給水自動ガス弁２３を開き、ガス流路が開かれる。
【００２７】
この通水により出湯路７においては、図６（ａ）に示すように、自動排水ユニット１５内のゲート弁９に働く通水水圧がバネ１３力に打ち勝ってゲート弁９を開くと共に、一体に移動するスピンドル１７上の大気開放弁８が開放孔３０を閉じる。この際に、開放孔３０が閉る直前に大気開放弁８から通水が僅かに洩れる場合があるが外部に洩れることなく凹部３８に溜まる。そして、自動排水ユニット１５内を通過した通水は、フレキシブル出湯管５を経由してキッチンシャワー４０から出湯する。
【００２８】
また、この状態から水栓２４を閉じて出湯を停止すると、給水経路３を熱交換器１に向けて流れていた水が止り、水圧応動装置１０は、ダイアフラム１２の一次室１６と二次室２１間の差圧がなくなり、突棒３７を停止位置(図右方向)に後退させ、給水自動ガス弁２３を閉弁してガス供給経路４を閉じる。
【００２９】
すると、出湯路７内の通水水圧が無くなり、図６(ｂ)に示すように、自動排水ユニット１５内のバネ１３がゲート弁９を閉弁し、同時に大気開放弁８を開弁する。このため、ゲート弁９の上流の水は通水路内に閉じ込められると共に、ゲート弁９下流のフレキシブル出湯管５及びキッチンシャワー４０内の水は、大気開放弁８から空気が流入することにより、下方のキッチンシャワー４０から排水される。同様に、凹部３８に溜まっていた水は、大気開放弁８から再び通水路内に流入して同様に排水される。
【００３０】
そして、室温が所定の温度以下になると、バイメタルＳＷ３３がＯＮし、通電された電熱ヒータ３４が発熱し、給水経路３、出湯路７、水圧応動装置１０等を含めた通水路が保温される。つまり、自動排水ユニット１５のゲート弁９より上流の水は保温され、下流の水は排水されて凍結が防止される。このため、従来のように器体内の水を完全に水抜きして凍結防止する場合に比べて、加熱経路７ａ内に水を閉じ込めた状態にするため、再使用の場合に出湯開始を早くできる。
【００３１】
次に、機器を長期間使用しなかったり、あるいは機器の修理を行う場合には、器体内の水抜きを行う必要があるが、その手順を説明する。
まず、水抜栓１９を開栓し、加熱経路7aと導通路２ｂの水をダイアフラム１２の一次室１６と二次室２１内の水と共に器体外へ排水する。また、上流の給水元栓３１を閉じて排水栓３２および水栓２４を開け、水圧応動装置１０上流の水を排水栓３２から排水する。そして、自動排水ユニット１５内から突き出ているスピンドル１７を一杯に引っ張ってゲート弁９を開くことにより、上流の水をキッチンシャワー４０および排水栓３２から排水する。
従って、必要な場合には、器体内のほぼ全ての水を排水することができる。
【００３２】
また、上記操作により器体内の水を排水することができるが、キッチンシャワー４０においてシャワー湯出口４６は小孔であるため、湯の流れのみではこの部分に溜まった湯を完全に排出することは困難である。従って、さらにキッチンシャワー４０を振って水を排出し、さらに切替レバー５１をストレート湯出口側に切り替えておく必要があるが、この手順は煩雑であり、忘れられることも多い。しかし、本元止め式湯沸器では、キッチンシャワー内に逃がし弁６０によって開閉されるバイパス経路５４及びバイパス湯出口５５を設けているため、シャワー湯出口４６の凍結による詰まりに対しても、通水開始時に直ちに給湯が可能にされている。
【００３３】
すなわち、切替レバー５１によって切替板４９がストレート湯出口４５側に切り替えられている場合において、キッチンシャワー４０の水抜きを忘れてシャワー湯出口４６が凍結したような場合、出湯路７側から湯が供給されると、凍結したシャワー湯出口４６で湯が止められてキッチンシャワー４０から出湯されなくなる。これにより、キッチンシャワー４０内の空間部４４の圧力が上昇するが、この圧力上昇により、閉鎖状態にある逃がし弁６０の本体６１が押圧力を受けてコイルバネ６８の付勢力に対抗してバイパス経路５４側に押され、Ｏリング６７が上垂直壁部５３ｄから離れることによりバイパス経路５４が開放される。そのため、出湯路７からの湯はバイパス経路５４を通ってパイパス湯出口５５から直ちに出湯される。
【００３４】
そして、このキッチンシャワー４０内を通過する温湯によって徐々にシャワー湯出口４６の凍結状態が解除され、シャワー湯出口４６から出湯されるようになる。これにより、キッチンシャワー４０内の空間部４４の圧力が低下して通常圧力になると、逃がし弁６０に加わる押し圧力も低下し、本体６１がコイルバネ６８の付勢力により元の位置に戻るため逃がし弁６０により経路が閉鎖される。なお、シャワー湯出口４６が凍結により詰まっていない通常時には、キッチンシャワー４０の空間部４４の圧力は通常圧力であるため逃がし弁６０は閉鎖されており、従って、出湯路７からの湯は通常通りシャワー湯出口４６からスムーズに供給される。
【００３５】
以上に説明した参考例に係る元止め式湯沸器によれば、安価な構成で、水抜き操作をしないでも凍結破損を防止することができ、いつでもすぐに使用できる状態で待機させることができる。しかも、ゲート弁９より上流の水を閉じ込めたまま、ゲート弁９より下流の水だけを排水するため、止水毎の排水量を少なくできると共に、次回の出湯時における待ち時間を少なくすることができる。
さらに、キッチンシャワー４０を振り忘れて、シャワー湯出口４６が凍結したような場合でも、逃がし弁６０によってバイパス経路５４を開放することにより、バイパス湯出口５５から直ちに給湯を行うことができるので便利である。
【００３６】
つぎに、第１の実施形態について説明する。
本実施形態においては、上記逃がし弁６０に巻装したコイルバネ６８の代わりに、図７に示すように、コイルバネ７０のコイル部７１の一端側に、その接線方向延出した水切り部７２を設けたものである。水切り部７２は、コイルバネの一端から接線方向に伸ばした延出部７３と、延出部７３の先端で曲線状に折り返して延出部７３に平行に延出しコイルバネに接触する程度まで戻した折返し部７４とを設けている。コイルバネ７０は、図８に示すように、水切り部７２を上垂直壁部５３ｃに接触させると共に壁面に沿って、キッチンシャワー４０の出湯方向に垂下するように配設した。
【００３７】
上記のように構成した第１の実施形態においては、キッチンシャワー４０内の空間部４４の水抜きをしたとき、逃がし弁６０の本体６１に巻装したコイルバネ７０とケース一端面４１ａとの狭い隙間部分に残り湯が溜まり易く、これを放置することにより、外気温の低下によりこの部分が凍結しやすくなる。しかし、コイルバネ７０に水切り部７２を設けて、上垂直壁部５３ｃに接近させかつ、キッチンシャワーの出湯方向（図示下方）に延出させたことにより、ケース一端面４１ａとコイルバネ６８との狭い隙間部分に溜まった湯は、表面張力によりＵ字状の水切り部７２を伝ってこの部分に溜まり、その後、自重により落下する。そのため、ケース一端面４１ａとコイルバネ７０との狭い隙間部分に溜まった水を効果的に排除でき、この部分での水の凍結を防止でき、シャワー湯出口４６の凍結時における逃がし弁６０の正常な切替機能を確保でき、通水時に直ちに給湯を開始できる。
【００３８】
つぎに、第２の実施形態について説明する。
本実施形態においては、図９、図１０に示すように、キッチンシャワー４０の複数のシャワー湯出口４６の内の中心を挟んで互いに対向する１対についてその外表面側開口部分に、外方に向けた広がった傾斜部４６ａを形成したことにある。傾斜部４６ａの傾斜角θについては９０°以上であることが好ましい。
【００３９】
上記のように構成した第２の実施形態においては、シャワー湯出口４６部分の水抜きを忘れた場合でも、シャワー湯出口４６側に溜まった残り湯については、外方に向けて広がった漏斗状の傾斜部４６ａにおいて、その表面張力により引張られて広がり部分に湯が集められて溜まる。このように溜められた湯が、その自重により自然に落下し、それに伴い湯出口内の湯も引張られて落下する。そのため、傾斜部４６ａを設けたシャワー湯出口４６には湯が溜まらず、従って、その部分で凍結が生じることもない。その結果、シャワー湯出口４６部分の水抜きを忘れて他のシャワー湯出口４６が凍結したような場合でも、通水時に傾斜部４６ａを設けたシャワー湯出口４６から直ちに給湯が可能である。
【００４０】
なお、上記傾斜部４６ａを設けるシャワー湯出口４６の位置及び数については、任意に選択してもよいが、特に設置位置については空間部４４から湯がストレートに流入するシャワー部開口４８ｂの直下に位置するシャワー湯出口４６に傾斜部４６ａを設けることにより、通常のシャワー出湯時の流線の乱れを少なく湯の排出を行うことができる。また、傾斜部４６ａの平面形状については、円形に限らず楕円形、図１１に示すような十字形、星形その他任意の形状でよい。
その他、上記各実施形態に示したものについては一例であり、本発明の趣旨を逸脱しない範囲において、種々変更して実施することが可能である。
【００４１】
【発明の効果】
上記請求項１の発明によれば、シャワー湯出口の水抜き操作をしなくても、シャワー湯出口が凍結したときに、キッチンシャワー空間部分が高圧になることにより、逃がし弁によって自動的に直ちにバイパス出湯口に至る経路に切り替えられるため、バイパス出湯口から直ちに給湯できる。
【００４２】
また、請求項１の発明によれば、キッチンシャワーの水抜き操作をしないでも、シャワー湯出口が凍結により詰まったとき、出湯路から湯が供給されると、キッチンシャワー内の空間部分に湯が溜まって内部が高圧状態になり、逃がし弁により経路側が開放されるため、湯をバイパス出湯口から即給湯できると共に、出湯する湯がキッチンシャワー自身を加熱するため、速やかにキッチンシャワー内の凍結を解除することができる。また、請求項１記載の発明によれば、逃がし弁のコイルバネとの狭い隙間部分に溜まった水を効果的に排水でき、水の凍結を防止でき、シャワー湯出口の凍結時における逃がし弁の正常な機能を確保できる。
【００４３】
また、請求項２記載の発明によれば、傾斜部を設けたシャワー湯出口には湯が溜まらず、従って、その部分で凍結が生じることもないので、他のシャワー湯出口が凍結により閉鎖されても、給湯開始により直ちに湯を供給できる。また、請求項３の発明によれば、傾斜部を設けたシャワー湯出口を湯がストレートに流入する位置に設けたことにより、通常のシャワー出湯時の流線の乱れを少なくシャワー湯出口からの残り湯の排出を行うことができ、シャワー湯出口の凍結を一層確実に防止できる。
【図面の簡単な説明】
【図１】本発明の参考例に係る元止め式湯沸器を概略的に示す正面図である。
【図２】同元止め式湯沸器の概略構成を示す構成図である。
【図３】元止め式湯沸器のキッチンシャワーを概略的に示す図４のIII−III線方向の断面図である。
【図４】同キッチンシャワーを示す底面図である。
【図５】逃がし弁を示す一部破断面図、Ｅ方向矢視図及びV−V線方向断面図である。
【図６】自動排水ユニットを示す拡大図である。
【図７】第１の実施形態に係るコイルバネを示す正面図及び側面図である。
【図８】第１の実施形態のコイルバネの使用状態を示す説明図及びVIII−VIII線方向の矢視図である。
【図９】第２の実施形態に係るキッチンシャワーを示す底面図である。
【図１０】同実施形態に係るキッチンシャワーのシャワー湯出口を示す拡大断面図である。
【図１１】シャワー湯出口の変形例を示す拡大平面図である。
【符号の説明】
１…熱交換器、３…給水経路、５…フレキシブル出湯管、８…大気開放弁、９…ゲート弁、１０…水圧応動装置、１５…自動排水ユニット、１９…水抜栓、３１…給水元栓、３２…排水栓、３３…バイメタルＳＷ、３４…電熱ヒータ、４０…キッチンシャワー、４４…空間部、４５…ストレート湯出口、４６…シャワー湯出口、４６ａ…傾斜部、５１…切替レバー、５３…隔壁、５４…バイパス経路、５５…バイパス湯出口、６０…逃がし弁、６１…本体、６７…Ｏリング、６８，７０…コイルバネ、７２…水切り部。
【図１】
0004216974.tif 000002
【図２】
0004216974.tif 000003
【図３】
0004216974.tif 000004
【図４】
0004216974.tif 000005
【図５】
0004216974.tif 000006
【図６】
0004216974.tif 000007
【図７】
0004216974.tif 000008
【図８】
0004216974.tif 000009
【図９】
0004216974.tif 000010
【図１０】
0004216974.tif 000011
【図１１】
0004216974.tif 000012